(57)【要約】      （修正有）【課題】送信機側が期待するレベルでの高解像度化を図る映像伝送システム、送信機、および受信機を提供する。【解決手段】映像伝送システム１０００は、送信機１００および受信機２００を備え、送信機１００は、第１ソース映像にダウンコンバートが施されて生成された第２ソース映像にインターレース変換が施されて生成された第１映像と、第１映像にプログレッシブ変換を施すための第１変換データと、第１ソース映像と第１変換データを用いて第１映像にプログレッシブ変換が施されて生成された第２映像にアップコンバートが施されて生成された第３映像との差分データを送信する。受信機２００は、第１変換データを用いて第１映像にプログレッシブ変換を施して第２映像を生成し、第２映像にアップコンバートを施して第３映像を生成し、差分データを用いて第３映像に映像処理を施して第４映像を生成する。【選択図】図１
2016100635.tif 000002
【特許請求の範囲】
【請求項１】
送信機および受信機を備え、
前記送信機は、
第１解像度の第１ソース映像にダウンコンバートを施して前記第１解像度よりも小さい第２解像度の第２ソース映像を生成するダウンコンバータと、
前記第２解像度の第２ソース映像にインターレース変換を施して前記第２解像度の第１映像を生成するインターレース変換部と、
前記第１映像にプログレッシブ変換を施すための変換データを、前記第２ソース映像に基づいて生成する第１生成部と、
前記変換データを用いて前記第１映像にプログレッシブ変換を施して前記第２解像度の第２映像を生成する第１プログレッシブ変換部と、
前記第２映像にアップコンバートを施して前記第１解像度の第３映像を生成する第１アップコンバータと、
前記第１ソース映像と前記第３映像との差分に基づく差分データを生成する第２生成部と、
前記第１映像、前記変換データ、および前記差分データを前記受信機に送信する送信部とを備え、
前記受信機は、
前記第１映像、前記変換データ、および前記差分データを前記送信機から受信する受信部と、
前記変換データを用いて前記第１映像にプログレッシブ変換を施して前記第２映像を生成する第２プログレッシブ変換部と、
前記第２映像にアップコンバートを施して前記第３映像を生成する第２アップコンバータと、
前記差分データを用いて前記第３映像に映像処理を施して前記第３映像よりも前記第１ソース映像に近い画質の前記第１解像度の第４映像を生成する映像処理部とを備える、映像伝送システム。
【請求項２】
前記第１生成部は、前記第２ソース映像の複数のフレーム間の動きに基づいて、当該複数のフレーム間での動きの有無を示す前記変換データを生成するように構成されており、
前記第１プログレッシブ変換部は、前記変換データが前記複数のフレーム間に動きが有ることを示す場合、当該複数のフレームに対応するフィールドに対して第１方式のプログレッシブ変換を施し、前記変換データが前記複数のフレーム間に動きが無いことを示す場合、当該複数のフレームに対応するフィールドに対して第２方式のプログレッシブ変換を施すように構成されており、
前記第２プログレッシブ変換部は、前記変換データが前記複数のフレーム間に動きが有ることを示す場合、当該複数のフレームに対応するフィールドに対して前記第１方式のプログレッシブ変換を施し、前記変換データが前記複数のフレーム間に動きが無いことを示す場合、当該複数のフレームに対応するフィールドに対して前記第２方式のプログレッシブ変換を施すように構成されている、請求項１に記載の映像伝送システム。
【請求項３】
前記第１プログレッシブ変換部および前記第２プログレッシブ変換部は、複数の方法でプログレッシブ変換を実行することが可能なように構成されており、
前記送信機は、前記第１プログレッシブ変換部が実行するプログレッシブ変換の方法を設定する設定部をさらに備え、
前記送信部は、前記設定部が設定した方法を示す設定データを前記受信機に送信するように構成されており、
前記受信部は、前記設定データを前記送信機から受信するように構成されており、
前記第２プログレッシブ変換部は、前記設定データに基づいて、前記第１プログレッシブ変換部と同一の方法でプログレッシブ変換を実行するように構成されている、請求項１または２に記載の映像伝送システム。
【請求項４】
前記受信機は、前記変換データを用いずに前記第２プログレッシブ変換部とは異なる方法で前記第１映像にプログレッシブ変換を施して前記第２解像度の第５映像を生成する第３プログレッシブ変換部と、前記第３映像を前記第２アップコンバータに入力するか、または前記第５映像を前記第２アップコンバータに入力するかを切り替える第１切替部とをさらに備え、
前記第２アップコンバータは、前記第５映像が入力された場合に、前記第５映像にアップコンバートを施して前記第１解像度の第６映像を生成するように構成されており、
前記受信機は、前記第１切替部と連動するように構成され、前記第４映像を出力するか、または前記第６映像を出力するかを切り替える第２切替部をさらに備える、請求項１〜３のいずれか１項に記載の映像伝送システム。
【請求項５】
前記送信部は、前記第１映像を前記受信機に送信する第１送信部と、前記変換データおよび前記差分データを多重化して前記受信機に送信する第２送信部とを備え、
前記受信部は、前記第１映像を前記送信機から受信する第１受信部と、多重化された前記変換データおよび前記差分データを前記送信機から受信する第２受信部とを備える、請求項１〜４のいずれか１項に記載の映像伝送システム。
【請求項６】
前記送信部は、前記第１映像および前記変換データを多重化して前記受信機に送信する第１送信部と、前記差分データを前記受信機に送信する第２送信部とを備え、
前記受信部は、多重化された前記第１映像および前記変換データを前記送信機から受信する第１受信部と、前記差分データを前記送信機から受信する第２受信部とを備える、請求項１〜４のいずれか１項に記載の映像伝送システム。
【請求項７】
第１解像度の第１ソース映像にダウンコンバートを施して前記第１解像度よりも小さい第２解像度の第２ソース映像を生成するダウンコンバータと、
前記第２ソース映像にインターレース変換を施して前記第２解像度の第１映像を生成するインターレース変換部と、
前記第１映像にプログレッシブ変換を施すための変換データを、前記第２ソース映像に基づいて生成する第１生成部と、
前記変換データを用いて前記第１映像にプログレッシブ変換を施して前記第２解像度の第２映像を生成する第１プログレッシブ変換部と、
前記第２映像にアップコンバートを施して前記第１解像度の第３映像を生成する第１アップコンバータと、
前記第１ソース映像と前記第３映像との差分に基づく差分データを生成する第２生成部と、
前記第１映像、前記変換データ、および前記差分データを受信機に送信する送信部とを備える、送信機。
【請求項８】
前記第１生成部は、前記第２ソース映像の複数のフレーム間の動きに基づいて、当該複数のフレーム間での動きの有無を示す前記変換データを生成するように構成されており、
前記第１プログレッシブ変換部は、前記変換データが前記複数のフレーム間に動きが有ることを示す場合、当該複数のフレームに対応するフィールドに対して第１方式のプログレッシブ変換を施し、前記変換データが前記複数のフレーム間に動きが無いことを示す場合、当該複数のフレームに対応するフィールドに対して第２方式のプログレッシブ変換を施すように構成されている、請求項７に記載の送信機。
【請求項９】
前記第１プログレッシブ変換部は、複数の方法でプログレッシブ変換を実行することが可能なように構成されており、
前記第１プログレッシブ変換部が実行するプログレッシブ変換の方法を設定する設定部をさらに備え、
前記送信部は、前記設定部が設定した方法を示す設定データを前記受信機に送信するように構成されている、請求項７または８に記載の送信機。
【請求項１０】
前記送信部は、前記第１映像を前記受信機に送信する第１送信部と、前記変換データおよび前記差分データを多重化して前記受信機に送信する第２送信部とを備える、請求項７〜９のいずれか１項に記載の送信機。
【請求項１１】
前記送信部は、前記第１映像および前記変換データを多重化して前記受信機に送信する第１送信部と、前記差分データを前記受信機に送信する第２送信部とを備える、請求項７〜９のいずれか１項に記載の送信機。
【請求項１２】
送信機により生成された第１映像、変換データ、および差分データを前記送信機から受信する受信部であって、前記第１映像は、第１解像度の第１ソース映像にダウンコンバートが施されて生成された前記第１解像度よりも小さい第２解像度の第２ソース映像にインターレース変換が施されて生成されたものであり、前記変換データは、前記第１映像にプログレッシブ変換を施すためのものであり、前記差分データは、前記第１ソース映像と、前記変換データを用いて前記第１映像にプログレッシブ変換が施されて生成された前記第２解像度の第２映像にアップコンバートが施されて生成された前記第１解像度の第３映像との差分に基づくものである受信部と、
前記変換データを用いて前記第１映像にプログレッシブ変換を施して前記第２映像を生成する第２プログレッシブ変換部と、
前記第２映像にアップコンバートを施して前記第３映像を生成する第２アップコンバータと、
前記差分データを用いて前記第３映像に映像処理を施して前記第３映像よりも前記第１ソース映像に近い画質の前記第１解像度の第４映像を生成する映像処理部とを備える、受信機。
【請求項１３】
前記変換データは、前記第２ソース映像の複数のフレーム間の動きに基づいて生成された、当該複数のフレーム間での動きの有無を示すものであり、
前記第２プログレッシブ変換部は、前記変換データが前記複数のフレーム間に動きが有ることを示す場合、当該複数のフレームに対応するフィールドに対して第１方式のプログレッシブ変換を施し、前記変換データが前記複数のフレーム間に動きが無いことを示す場合、当該複数のフレームに対応するフィールドに対して第２方式のプログレッシブ変換を施すように構成されている、請求項１２に記載の受信機。
【請求項１４】
前記第２プログレッシブ変換部は、複数の方法でプログレッシブ変換を実行することが可能なように構成されており、
前記受信部は、前記送信機が設定した、前記送信機が実行するプログレッシブ変換の方法を示す設定データを前記送信機から受信するように構成されており、
前記第２プログレッシブ変換部は、前記設定データに基づいて、前記送信機と同一の方法でプログレッシブ変換を実行するように構成されている、請求項１２または１３に記載の受信機。
【請求項１５】
前記変換データを用いずに前記第２プログレッシブ変換部とは異なる方法で前記第１映像にプログレッシブ変換を施して前記第２解像度の第５映像を生成する第３プログレッシブ変換部と、
前記第３映像を前記第２アップコンバータに入力するか、または前記第５映像を前記第２アップコンバータに入力するかを切り替える第１切替部とをさらに備え、
前記第２アップコンバータは、前記第５映像が入力された場合に、前記第５映像にアップコンバートを施して前記第１解像度の第６映像を生成するように構成されており、
前記第１切替部と連動するように構成され、前記第４映像を出力するか、または前記第６映像を出力するかを切り替える第２切替部をさらに備える、請求項１２〜１４のいずれか１項に記載の受信機。
【請求項１６】
前記受信部は、前記第１映像を前記送信機から受信する第１受信部と、多重化された前記変換データおよび前記差分データを前記送信機から受信する第２受信部とを備える、請求項１２〜１５のいずれか１項に記載の受信機。
【請求項１７】
前記受信部は、多重化された前記第１映像および前記変換データを前記送信機から受信する第１受信部と、前記差分データを前記送信機から受信する第２受信部とを備える、請求項１２〜１５のいずれか１項に記載の受信機。
【請求項１８】
前記受信機とは別個に設けられる外部機器に映像を出力するためのＨＤＭＩ（登録商標）インターフェースをさらに備える、請求項１２〜１７のいずれか１項に記載の受信機。
【発明の詳細な説明】
【技術分野】
【０００１】
本発明の実施形態は、映像伝送システム、送信機、および受信機に関する。
【背景技術】
【０００２】
従来、送信機側でインターレース化された映像を受信機側でプログレッシブ化するなどして、送信機側の高解像度な映像を受信機側で再現する技術が知られている。
【先行技術文献】
【特許文献】
【０００３】
【特許文献１】特開平１１−２８４９６０号公報
【発明の概要】
【発明が解決しようとする課題】
【０００４】
上記のような従来の技術では、受信機側において、受信機の実装（仕様）によって異なる独自の方法のプログレッシブ変換が実行されていたため、送信機側が期待するレベルでの高解像度化を図ることができない場合があった。
【課題を解決するための手段】
【０００５】
実施形態による映像伝送システムは、送信機および受信機を備える。送信機は、ダウンコンバータは、インターレース変換部と、第１生成部と、第１プログレッシブ変換部と、第１アップコンバータと、第２生成部と、送信部とを備える。ダウンコンバータは、第１解像度の第１ソース映像にダウンコンバートを施して第１解像度よりも小さい第２解像度の第２ソース映像を生成する。インターレース変換部は、第２解像度の第２ソース映像にインターレース変換を施して第２解像度の第１映像を生成する。第１生成部は、第１映像にプログレッシブ変換を施すための変換データを、第２ソース映像に基づいて生成する。第１プログレッシブ変換部は、変換データを用いて第１映像にプログレッシブ変換を施して第２解像度の第２映像を生成する。第１アップコンバータは、第２映像にアップコンバートを施して第１解像度の第３映像を生成する。第２生成部は、第１ソース映像と第３映像との差分に基づく差分データを生成する。送信部は、第１映像、変換データ、および差分データを受信機に送信する。受信機は、受信部と、第２プログレッシブ変換部と、第２アップコンバータと、映像処理部とを備える。受信部は、第１映像、変換データ、および差分データを送信機から受信する。第２プログレッシブ変換部は、変換データを用いて第１映像にプログレッシブ変換を施して第２映像を生成する。第２アップコンバータは、第２映像にアップコンバートを施して第３映像を生成する。映像処理部は、差分データを用いて第３映像に映像処理を施して第３映像よりも第１ソース映像に近い画質の第１解像度の第４映像を生成する。
【図面の簡単な説明】
【０００６】
【図１】図１は、第１実施形態による映像伝送システムの概略的な構成を示した例示図である。
【図２】図２は、第１実施形態によるテレビジョン装置のハードウェア構成を示した例示ブロック図である。
【図３】図３は、第１実施形態による送信機の映像伝送を行うための構成を示した例示ブロック図である。
【図４】図４は、第１実施形態によるインターレース変換が施される前のプログレッシブ方式の映像の一例を示した例示図である。
【図５】図５は、第１実施形態によるインターレース変換が施された後のインターレース方式の映像の一例を示した例示図である。
【図６】図６は、第１実施形態による変換データの一例を示した例示図である。
【図７】図７は、第１実施形態による変換データの他の一例を示した例示図である。
【図８】図８は、第１実施形態による変換データを用いたプログレッシブ変換を説明するための例示図である。
【図９】図９は、第１実施形態によるプログレッシブ変換が施された後のプログレッシブ方式の映像の一例を示した例示図である。
【図１０】図１０は、第１実施形態によるテレビジョン装置の高解像度な映像を再現するための構成を示した例示ブロック図である。
【図１１】図１１は、第１実施形態による送信機がインターレース方式の映像をテレビジョン装置に送信する際に実行する一連の処理を示した例示フローチャートである。
【図１２】図１２は、第１実施形態による送信機が変換データを生成する際に実行する一連の処理を示した例示フローチャートである。
【図１３】図１３は、第１実施形態による送信機が差分データをテレビジョン装置に送信する際に実行する一連の処理を示した例示フローチャートである。
【図１４】図１４は、第１実施形態によるテレビジョン装置が表示パネルに映像を出力する際に実行する一連の処理を示した例示フローチャートである。
【図１５】図１５は、第２実施形態による送信機の映像伝送を行うための構成を示した例示ブロック図である。
【図１６】図１６は、第２実施形態によるテレビジョン装置の高解像度な映像を再現するための構成を示した例示ブロック図である。
【図１７】図１７は、第３実施形態によるテレビジョン装置の高解像度な映像を再現するための構成を示した例示ブロック図である。
【図１８】図１８は、変形例によるセットトップボックスの高解像度な映像を再現するための構成を示した例示ブロック図である。
【発明を実施するための形態】
【０００７】
以下、実施形態を図面に基づいて説明する。
【０００８】
（第１実施形態）
まず、図１を参照して、第１実施形態による映像伝送システム１０００の概略的な構成の一例について説明する。
【０００９】
図１に示すように、映像伝送システム１０００は、送信機１００と、テレビジョン装置２００とを備える。テレビジョン装置２００は、「受信機」の一例である。
【００１０】
送信機１００は、放送局ＢＳに設置されており、放送信号をテレビジョン装置２００に送信することが可能なように構成されている。また、送信機１００は、ＩＰ（インターネットプロトコル）ネットワーク３００に接続されており、ＩＰネットワーク３００を介してＩＰ信号をテレビジョン装置２００に送信することが可能なように構成されている。テレビジョン装置２００は、送信機１００から受信される放送信号およびＩＰ信号に基づく映像を表示可能な表示パネル２１０を備える。
【００１１】
次に、図２を参照して、テレビジョン装置２００のハードウェア構成、すなわち回路構成の一例について説明する。
【００１２】
図２に示すように、テレビジョン装置２００は、アンテナ２０１と、入力端子２０２ａと、チューナ２０３と、デモジュレータ２０４と、デマルチプレクサ２０５とを備える。
【００１３】
アンテナ２０１は、デジタル放送の放送信号を受信し、受信した放送信号を、入力端子２０２ａを介してチューナ２０３に供給するように構成されている。チューナ２０３は、アンテナ２０１から供給された放送信号から所望のチャンネルの放送信号を選局し、選局した放送信号をデモジュレータ２０４に供給するように構成されている。
【００１４】
デモジュレータ２０４は、チューナ２０３から供給された放送信号を復調し、復調した放送信号をデマルチプレクサ２０５に供給するように構成されている。デマルチプレクサ２０５は、デモジュレータ２０４から供給された放送信号を分離して映像信号および音声信号を生成し、生成した映像信号および音声信号を後述するセレクタ２０７に供給するように構成されている。
【００１５】
また、テレビジョン装置２００は、入力端子２０２ｂおよび２０２ｃと、Ａ／Ｄ（アナログ／デジタル）変換器２０６と、セレクタ２０７と、信号処理部２０８と、スピーカ２０９と、表示パネル２１０とを備える。
【００１６】
入力端子２０２ｂは、外部に接続可能に構成されており、外部から入力されるアナログ信号（映像信号および音声信号）を受け付けるように構成されている。同様に、入力端子２０２ｃは、外部に接続可能に構成されており、外部から入力されるデジタル信号（映像信号および音声信号）を受け付けるように構成されている。Ａ／Ｄ変換器２０６は、入力端子２０２ｃから供給されるアナログ信号にＡ／Ｄ変換を施すことにより生成したデジタル信号をセレクタ２０７に供給するように構成されている。
【００１７】
セレクタ２０７は、デマルチプレクサ２０５、Ａ／Ｄ変換器２０６、および入力端子２０２ｃから供給される複数の信号から１つを選択し、選択した１つの信号を信号処理部２０８に供給するように構成されている。信号処理部２０８は、セレクタ２０７から供給される映像信号に所定の信号処理を施し、処理後の映像信号を表示パネル２１０に供給するように構成されている。また、信号処理部２０８は、セレクタ２０７から供給される音声信号に所定の信号処理を施し、処理後の音声信号をスピーカ２０９に供給するように構成されている。
【００１８】
スピーカ２０９は、信号処理部２０８から供給される音声信号に基づいて音声を出力するように構成されている。また、表示パネル２１０は、信号処理部２０８から供給される映像信号に基づいて静止画や動画などの映像を表示するように構成されている。
【００１９】
さらに、テレビジョン装置２００は、操作部２１１と、受光部２１２と、ＩＰ通信部２１３と、制御部２１４と、メモリ２１５と、ストレージ２１６とを備える。
【００２０】
操作部２１１は、ユーザの操作入力を受け付けるように構成されている。受光部２１２は、テレビジョン装置２００を遠隔で操作するためのリモートコントローラ２５０からの赤外線を受光するように構成されている。ＩＰ通信部２１３は、ＩＰネットワーク３００を介したＩＰ通信を行うための通信インターフェースである。
【００２１】
制御部２１４は、ＣＰＵなどを内蔵したマイクロプロセッサであり、テレビジョン装置２００の各コンポーネントを制御するように構成されている。メモリ２１５は、制御部２１４のＣＰＵが実行する各種コンピュータプログラムを格納するＲＯＭや、ＣＰＵに作業エリアを提供するＲＡＭなどを備える。ストレージ２１６は、ＨＤＤ（ハードディスクドライブ）やＳＳＤ（ソリッドステートドライブ）などを備え、たとえばセレクタ２０７により選択された信号を録画データとして記録することが可能なように構成されている。
【００２２】
ここで、第１実施形態による送信機１００は、高解像度な映像をスケーラブルな方法でテレビジョン装置２００に送信するように構成されている。より具体的には、送信機１００は、プログレッシブ方式でかつ高解像度の映像データ（元データ）を、インターレース方式でかつ標準的な解像度の映像データ（標準データ）と、標準データから元データを再現するために用いられる差分データとに分けてテレビジョン装置２００に送信するように構成されている。
【００２３】
また、第１実施形態による送信機１００は、伝送帯域を有効活用するために、上記の標準データおよび差分データをそれぞれ別の伝送経路でテレビジョン装置２００に送信するように構成されている。たとえば、送信機１００は、標準データを放送信号として送信機１００に送信し、差分データをＩＰ信号として送信機１００に送信するように構成されている。
【００２４】
第１実施形態によるテレビジョン装置２００は、送信機１００から標準データおよび差分データを受信し、受信した標準データおよび差分データに基づいて、プログレッシブ方式でかつ高解像度な映像を再現し、再現した映像を表示パネル２１０に表示するように構成されている。
【００２５】
ここで、テレビジョン装置２００側では、高解像度な映像を再現するためにプログレッシブ変換が行われるが、このプログレッシブ変換の方式がテレビジョン装置２００の実装（仕様）に応じた送信機１００とは関係のない独自のものである場合、送信機１００側で期待するレベルでの高解像度化がテレビジョン装置２００側で行われないことがある。
【００２６】
そこで、第１実施形態による送信機１００は、送信機１００側で期待するプログレッシブ変換の方法を示す変換データをテレビジョン装置２００に送信するように構成されている。そして、テレビジョン装置２００は、送信機１００から変換データを受信し、受信した変換データを用いて、送信機１００が期待するレベルの高解像度化を行うように構成されている。
【００２７】
以下、図３〜図９を参照して、上記の映像伝送を実現するための送信機１００の構成について具体的に説明する。
【００２８】
図３に示すように、送信機１００は、ダウンコンバータ１０１と、インターレース変換部１０２と、標準解像度エンコーダ１０３と、放送送信部１０４と、動き検出部１０５と、標準解像度デコーダ１０６と、プログレッシブ変換部１０７と、アップコンバータ１０８と、拡張解像度エンコーダ１０９と、ＩＰ送信部１１０とを備える。動き検出部１０５は、「第１生成部」の一例であり、拡張解像度エンコーダ１０９は、「第２生成部」の一例である。
【００２９】
ダウンコンバータ１０１は、元データとしての第１ソース映像（プログレッシブ方式、第１解像度）にダウンコンバートを施して第２ソース映像（プログレッシブ方式、第２解像度）を生成し、生成した第２ソース映像をインターレース変換部１０２および動き検出部１０５に供給するように構成されている。第２解像度とは、第１解像度よりも小さい標準的な解像度である。
【００３０】
インターレース変換部１０２は、ダウンコンバータ１０１から供給される第２ソース映像（プログレッシブ方式、第２解像度）にインターレース変換を施して、標準データとしての第１映像（インターレース方式、第２解像度）を生成するように構成されている。たとえば、インターレース変換部１０２は、図４に示すようなプログレッシブ方式のフレームＦ１１〜Ｆ１４にインターレース変換を施して、図５に示すようなインターレース方式のフィールドＦ２１〜Ｆ２４を生成するように構成されている。図５のフィールドＦ２１〜Ｆ２４は、空き走査線（細かい点状のハッチング参照）の位置が、連続するフィールド間で互い違いになっている。
【００３１】
標準解像度エンコーダ１０３は、インターレース変換部１０２から供給される第１映像をエンコードし、エンコードした第１映像を放送送信部１０４および標準解像度デコーダ１０６に供給するように構成されている。放送送信部１０４は、標準解像度エンコーダ１０３から供給されるエンコードされた標準データとしての第１映像を放送信号としてテレビジョン装置２００に送信するように構成されている。
【００３２】
動き検出部１０５は、ダウンコンバータ１０１から供給される第２ソース映像の複数のフレーム間の動きに基づいて変換データを生成し、生成した変換データをプログレッシブ変換部１０７およびＩＰ送信部１１０に供給するように構成されている。以下に説明するように、変換データは、第２ソース映像の複数のフレーム間での動きの有無を示すものである。
【００３３】
たとえば、動き検出部１０５は、図６に示すような方法で第２ソース映像に対する動き検出を行うように構成されている。図６は、図４と同様のフレームＦ１１〜Ｆ１４を含む第２ソース映像に基づいて変換データＤ１およびＤ２が生成される例を示している。
【００３４】
図６の例では、連続する２つのフレームに１つの変換データが対応している。つまり、図６の例では、変換データＤ１は、フレームＦ１１およびＦ１２に基づいて生成され、変換データＤ２は、フレームＦ１３およびＦ１４に基づいて生成される。
【００３５】
図６の例では、変換データＤ１およびＤ２は、３×３のマトリクス状に構成されている。このマトリクスの各セル内の数字（１または０）は、各フレームの映像が３×３のマトリクス状に分割されて構成される各分割領域内の映像が、２つのフレーム間の各分割領域内の映像が動いているか否か、すなわち動き量が所定値以下であるか否かを示す。
【００３６】
たとえば、図６の例では、変換データＤ１の左上隅のセル内の数字が１となっている。この１という数字は、対応する分割領域内の映像が次のフレームに移行しても動かないことを示している。つまり、図６の例では、フレームＦ１１の左上隅の１つの分割領域内の映像と、次のフレームＦ１２の左上隅の１つの領域内の映像とを足し合わせれば、ひとつながりの映像を再現することができる。なお、図６の例では、変換データＤ１の上から１行目および２行目の６つのセル内の数字が全て１となっている。したがって、図６の例では、フレームＦ１１の上から１行目および２行目の６つの分割領域内の映像は、次のフレームＦ１２の上から１行目および２行目の６つの分割領域内の映像とそれぞれ補完し合う関係になっている。
【００３７】
一方、図６の例では、変換データＤ１の下から１行目の３つのセル内の数字が０になっている。この０という数字は、対応する分割領域内の映像が次のフレームに移行する際に動くことを示している。つまり、図６の例では、フレームＦ１１の下から１行目の３つの分割領域内の映像と、次のフレームＦ１２の下から１行目の３つの分割領域内の映像とを足し合わせても、ひとつながりではない不連続な映像になる。
【００３８】
同様に、図６の例では、変換データＤ２の各セル内の数字は、フレームＦ１３の各分割領域内の映像が、フレームＦ１４の各分割領域内の映像との関係で動いているか否かを示している。なお、図６の例では、４つのフレームＦ１１〜Ｆ１４と、２つの変換データＤ１およびＤ２としか図示されていないが、第２ソース映像が５つ以上のフレームからなる場合には、３つ以上の変換データが生成される。
【００３９】
また、図６の例では、連続する２つのフレームに対して１つの変換データが生成されているが、第１実施形態では、１つのフレームに対して１つの変換データが生成されてもよい。すなわち、第１実施形態による動き検出部１０５は、変換データの他の一例として、図７に示すような変換データＤ１１〜Ｄ１４を生成してもよい。
【００４０】
図７の例では、変換データＤ１１〜Ｄ１４は、それぞれ、フレームＦ１１〜Ｆ１４に対応するように生成される。より具体的には、変換データＤ１１は、フレームＦ１１とその次のフレームＦ１２とに基づいて生成され、変換データＤ１２は、フレームＦ１２とその次のフレームＦ１３とに基づいて生成される。また、変換データＤ１３は、フレームＦ１３とその次のフレームＦ１４とに基づいて生成され、変換データＤ１４は、フレームＦ１４とその次のフレーム（図７には図示せず）とに基づいて生成される。
【００４１】
図７の変換データＤ１１〜Ｄ１４は、図６の変換データＤ１およびＤ２と同様に、３×３のマトリクス状に構成されている。図７の変換データＤ１１〜Ｄ１４の各セル内の数字（１または０）が示すものは、図６の変換データＤ１およびＤ２の各セル内の数字が示すものと同じである。つまり、変換データＤ１１の各セル内の数字は、フレームＦ１１の各分割領域内の映像が次のフレームＦ１２に移行する際に動くか否かを示している。同様に、変換データＤ１２の各セル内の数字は、フレームＦ１２の各分割領域内の映像が次のフレームＦ１３に移行する際に動くか否かを示している。このことは、変換データＤ１３およびＤ１４についても同様である。
【００４２】
図７の例では、１つのフレームに対して１つの変換データが生成されるので、２つのフレームに対して１つの変換データが生成される図６の例に比べて、変換データのデータ量が２倍になっている。したがって、図７の例では、図６の例に比べて、各フレームの映像に関するより詳細な情報を生成することができる。
【００４３】
なお、図６および図７には、３×３のマトリクス状に構成された変換データを例として示したが、第１実施形態の変換データはこれに限定されるものではない。第１実施形態では、１つの画像を３×３よりも細かく分割し、３×３よりも大きいマトリクス状の変換データが用いられてもよい。分割数を多くすれば、変換データの情報量が多くなるため、プログレッシブ変換の精度を高めることができる。しかしながら、分割数を多くすると、変換データの伝送に必要な帯域幅も大きくなるので、分割数は、帯域を考慮して決定するのが好ましい。
【００４４】
たとえば、１つの画面が１８０×１３５個に分割されるものとすると、変換データのデータ量は１８０×１３５ビットになる。この変換データが２フレーム毎に（すなわち３０Ｈｚ毎に）生成されるものとすると、変換データの伝送に必要な帯域幅は、１８０×１３５×３０＝７２９０００ｂｐｓ（７２９ｋｂｐｓ）となる。また、１つの画面が６０×４５に分割され、変換データが２フレーム毎に生成されるものとすると、変換データの伝送に必要な帯域幅は、６０×４５×３０＝８１０００ｂｐｓ（８１ｋｂｐｓ）となる。
【００４５】
図３に戻り、標準解像度デコーダ１０６は、標準解像度エンコーダ１０３から供給されるエンコードされた第１映像（インターレース方式、第２解像度）をデコードするように構成されている。プログレッシブ変換部１０７は、動き検出部１０５から供給される変換データに基づいて、標準解像度デコーダ１０６から供給される第１映像にプログレッシブ変換を施して第２映像（プログレッシブ方式、第２解像度）を生成し、生成した第２映像をアップコンバータ１０８に供給するように構成されている。
【００４６】
第１実施形態によるプログレッシブ変換は、次のような方法で行われる。
【００４７】
ここでは、動き検出部１０５から供給される変換データが図６の例と同様の変換データＤ１およびＤ２であり、標準解像度デコーダ１０６から供給される第１映像が図５と同様のフィールドＦ２１〜Ｆ２４を含む映像となっている例（図８参照）について説明する。この例では、変換データＤ１と、フィールドＦ２１およびＦ２２とに基づいて、図９に示すプログレッシブ方式のフレームＦ３１およびＦ３２が生成され、変換データＤ２と、フィールドＦ２３およびＦ２４とに基づいて、図９に示すプログレッシブ方式のフレームＦ３３およびＦ３４が生成される。
【００４８】
より具体的には、図８の変換データＤ１では、３×３のマトリクスにおける上から１行目および２行目の６つの数字が１となっている。したがって、この変換データＤ１によれば、変換先のプログレッシブ方式のフレームを３×３のマトリクス状に分割した場合に、それら９つの分割領域のうち上から１行目および２行目の６つの分割領域の映像は、連続するフレームの映像に対して動いてないことが分かる。
【００４９】
そこで、図８の例では、フィールドＦ２１の上から１行目および２行目の６つの分割領域の映像と、フィールドＦ２２の上から１行目および２行目の６つの分割領域の映像とを足し合わせたものが、図９に示す変換先のフレームＦ３１およびＦ３２の上から１行目および２行目の６つの分割領域の映像として再現される。つまり、図８の変換データＤ１によれば、フィールドＦ２１の上から１行目および２行目の６つの分割領域の映像と、フィールドＦ２２の上から１行目および２行目の６つの分割領域の映像とが、変換先において互いに補完し合う関係になることが分かるので、これらの映像を単純に足し合わせれば、プログレッシブ方式のひとつながりの映像を再現することができる。
【００５０】
一方、図８の変換データＤ１では、３×３のマトリクスにおける上から３行目の３つの数字が０となっている。したがって、この変換データＤ１によれば、変換先のプログレッシブ方式のフレームを３×３のマトリクス状に分割した場合に、それら９つの分割領域のうち上から３行目の３つの分割領域の映像は、連続するフレームの映像に対して動いていることが分かる。
【００５１】
そこで、図８の例では、フィールドＦ２１の上から３行目の３つの分割領域の映像の空き走査線（細かい点状のハッチング参照）を、その空き走査線の両側の映像の平均によって補完したものが、図９に示す変換先のフレームＦ３１の上から３行目の３つの分割領域の映像として再現される。同様に、図８の例では、フィールドＦ２２の上から３行目の３つの分割領域の映像の空き走査線（細かい点状のハッチング参照）を、その空き走査線の両側の映像の平均によって補完したものが、図９に示す変換先のフレームＦ３２の上から３行目の３つの分割領域の映像として再現される。
【００５２】
つまり、図８の変換データＤ１によれば、フィールドＦ２１の上から３行目の３つの分割領域の映像と、その次のフィールドＦ２２の上から３行目の３つの分割領域の映像とが、変換先において互いに補完し合う関係にならないことが分かるので、これらの映像を単純に足し合わせても、プログレッシブ方式のひとつながりの映像を再現することはできない。したがって、これらの映像については、空き走査線の映像を、その空き走査線の両側の映像の平均をとって補完すれば、プログレッシブ方式のひとつながりの映像を再現することができる。
【００５３】
なお、図８の変換データＤ２を用いて図８のフィールドＦ２３およびＦ２４を図９のフレームＦ３３およびＦ３４に変換する手法は、上記と同様であるため、説明を省略する。また、図７に示すような、１つのフレームに対して１つの変換データが生成される変換データＤ１１〜Ｄ１４を用いたプログレッシブ変換の方法も、上記と実質的に同様であるため、説明を省略する。
【００５４】
このように、プログレッシブ変換部１０７は、動き検出部１０５から供給される変換データが、第２ソース映像の複数のフレーム間に動きが有ることを示す場合、当該複数のフレームのうち少なくとも１つのフレームに対応するフィールドに対して第１方式のプログレッシブ変換を施すように構成されている。また、プログレッシブ変換部１０７は、動き検出部１０５から供給される変換データが、第２ソース映像の複数のフレーム間に動きが無いことを示す場合、当該複数のフレームのうち少なくとも１つのフレームに対応するフィールドに対して第１方式とは異なる第２方式のプログレッシブ変換を施すように構成されている。
【００５５】
図３に戻り、アップコンバータ１０８は、プログレッシブ変換部１０７から供給された第２映像（プログレッシブ方式、第２解像度）に解像度変換を施して第３映像（プログレッシブ方式、第１解像度）を生成し、生成した第３映像を拡張解像度エンコーダ１０９に供給するように構成されている。
【００５６】
拡張解像度エンコーダ１０９には、上記の第３映像（プログレッシブ方式、第１解像度）の他に、ダウンコンバータ１０１に供給される元データとしての第１ソース映像（プログレッシブ方式、第１解像度）も供給されるようになっている。拡張解像度エンコーダ１０９は、第１ソース映像と第３映像との差分に基づく差分データを生成し、生成した差分データをＩＰ送信部１１０に供給するように構成されている。
【００５７】
ＩＰ送信部１１０は、拡張解像度エンコーダ１０９から供給される差分データを、動き検出部１０５から供給される変換データとともにＩＰ信号としてテレビジョン装置２００に送信するように構成されている。
【００５８】
次に、図１０を参照して、高解像度な映像を再現するためのテレビジョン装置２００の構成について具体的に説明する。
【００５９】
図１０に示すように、テレビジョン装置２００は、放送受信部２１６と、標準解像度デコーダ２１７と、ＩＰ受信部２１８と、プログレッシブ変換部２１９と、アップコンバータ２２０と、拡張解像度デコーダ２２１とを備える。拡張解像度デコーダ２２１は、「映像処理部」の一例である。放送受信部２１６は、図２のチューナ２０３に対応し、ＩＰ受信部２１８は、図２のＩＰ通信部２１３に対応する。また、標準解像度デコーダ２１７、プログレッシブ変換部２１９、アップコンバータ２２０、および拡張解像度デコーダ２２１は、図２の信号処理部２０８に対応する。
【００６０】
放送受信部２１６は、送信機１００が放送信号として送信したエンコードされた第１映像を受信し、受信した第１映像を標準解像度デコーダ２１７に供給するように構成されている。標準解像度デコーダ２１７は、放送受信部２１６から供給されるエンコードされた第１映像をデコードし、デコードした第１映像をプログレッシブ変換部２１９に供給するように構成されている。
【００６１】
ＩＰ受信部２１８は、送信機１００がＩＰ信号として送信した変換データおよび差分データを受信し、受信した変換データおよび差分データをそれぞれプログレッシブ変換部２１９および拡張解像度デコーダ２２１に供給するように構成されている。
【００６２】
プログレッシブ変換部２１９は、ＩＰ受信部２１８から供給される変換データを用いて標準解像度デコーダ２１７から供給される第１映像（インターレース方式、第２解像度）にプログレッシブ変換を施して第２映像（プログレッシブ方式、第２解像度）を生成するように構成されている。ここで生成される第２映像は、図３のプログレッシブ変換部１０７が生成する第２映像と同じである。つまり、第１実施形態では、テレビジョン装置２００（プログレッシブ変換部２１９）は、送信機１００（プログレッシブ変換部１０７）と同じ方法でプログレッシブ変換を行うように構成されている。なお、プログレッシブ変換の方法の詳細については、図８および図９を用いて既に説明したため、ここでは説明を省略する。プログレッシブ変換部２１９は、生成した第２映像をアップコンバータ２２０に供給するように構成されている。
【００６３】
アップコンバータ２２０は、プログレッシブ変換部２１９から供給される第２映像（プログレッシブ方式、第２解像度）にアップコンバートを施して第３映像（プログレッシブ方式、第１解像度）を生成するように構成されている。ここで生成される第３映像は、図３のアップコンバータ１０８が生成する第３映像と同じである。アップコンバータ２２０は、生成した第３映像を拡張解像度デコーダ２２１に供給するように構成されている。
【００６４】
拡張解像度デコーダ２２１は、ＩＰ受信部２１８から供給される差分データを用いてアップコンバータ２２０から供給される第３映像に映像処理を施して第４映像を出力するように構成されている。上記のように、差分データは、第１ソース映像と第３映像との差分に基づくものであるため、拡張解像度デコーダ２２１は、第４映像として、第３映像よりも第１ソース映像に近い画質の映像を生成することができる。第１実施形態では、第４映像は、図２の表示パネル２１０に出力される。これにより、第１実施形態では、送信機１００側の元データと同等に高解像度な映像をテレビジョン装置２００側で再現することができる。
【００６５】
次に、図１１を参照して、第１実施形態による送信機１００がインターレース方式の映像をテレビジョン装置２００に送信する際に実行する一連の処理について説明する。
【００６６】
図１１の処理フローでは、送信機１００のダウンコンバータ１０１は、ステップＳ１において、元データとしての第１ソース映像（第１解像度、プログレッシブ方式）にダウンコンバートを施して第２ソース映像（第２解像度、プログレッシブ方式）を生成する。そして、ステップＳ２に処理が進む。
【００６７】
ステップＳ２において、送信機１００のインターレース変換部１０２は、ダウンコンバータ１０１により生成された第２ソース映像（第２解像度、プログレッシブ方式）にインターレース変換を施して第１映像（第２解像度、インターレース方式）を生成する。そして、ステップＳ３に処理が進む。
【００６８】
ステップＳ３において、送信機１００の標準解像度エンコーダ１０３は、インターレース変換部１０２により生成された第１映像を標準データとしてエンコードする。そして、ステップＳ４に処理が進む。
【００６９】
ステップＳ４において、送信機１００の放送送信部１０４は、標準解像度エンコーダ１０３により生成された標準データとしての第１映像を放送信号としてテレビジョン装置２００に送信する。そして、処理が終了する。
【００７０】
次に、図１２を参照して、第１実施形態による送信機１００が変換データを生成する際に実行する一連の処理について説明する。この図１２の処理フローは、図１１のステップＳ１の処理が実行された後に開始する。
【００７１】
図１２の処理フローでは、送信機１００の動き検出部１０５は、ステップＳ１１において、ダウンコンバータ１０１により生成された第２ソース映像（第２解像度、プログレッシブ方式）に対する動き検出を行う。具体的には、動き検出部１０５は、ステップＳ１１において、第２ソース映像の連続する２つのフレームを比較し、各分割領域内の映像が動いているか否かを検出する。この動き検出の詳細は、図６を参照して既に説明したため、ここではこれ以上の説明を省略する。そして、ステップＳ１２に処理が進む。
【００７２】
ステップＳ１２において、送信機１００の動き検出部１０５は、ステップＳ１１における動き検出の結果に基づいて変換データを生成する。この変換データの詳細についても、図６を参照して既に説明したため、ここでは説明を省略する。そして、処理が終了する。
【００７３】
次に、図１３を参照して、第１実施形態による送信機１００が差分データをテレビジョン装置２００に送信する際に実行する一連の処理について説明する。この図１３の処理フローは、図１１のステップＳ３の処理が実行された後に開始する。
【００７４】
図１３の処理フローでは、送信機１００の標準解像度デコーダ１０６は、ステップＳ２１において、標準解像度エンコーダ１０３によりエンコードされた第１映像をデコードする。そして、ステップＳ２２に処理が進む。
【００７５】
ステップＳ２２において、送信機１００のプログレッシブ変換部１０７は、標準解像度デコーダ１０６によりデコードされた第１映像（第２解像度、インターレース方式）にプログレッシブ変換を施して第２映像（第２解像度、プログレッシブ方式）を生成する。このプログレッシブ変換は、動き検出部１０５により生成された変換データを用いて行われる。したがって、ステップＳ２２の処理は、図１２のステップＳ１２の処理が実行された後に実行される。ステップＳ２２のプログレッシブ変換の方法の詳細については、図８および図９を用いて既に説明したため、ここでは説明を省略する。そして、ステップＳ２３に処理が進む。
【００７６】
ステップＳ２３において、送信機１００のアップコンバータ１０８は、プログレッシブ変換部１０７により生成された第２映像（第２解像度、プログレッシブ方式）にアップコンバートを施して第３映像（第１解像度、プログレッシブ方式）を生成する。そして、ステップＳ２４に処理が進む。
【００７７】
ステップＳ２４において、送信機１００の拡張解像度エンコーダ１０９は、アップコンバータ１０８により生成された第３映像（第１解像度、プログレッシブ方式）と、元データとしての第１ソース映像（第１解像度、プログレッシブ方式）との差分に基づく差分データを生成する。そして、ステップＳ２５に処理が進む。
【００７８】
ステップＳ２５において、送信機１００のＩＰ送信部１１０は、拡張解像度エンコーダ１０９により生成された差分データを、動き検出部１０５により生成された変換データとともにＩＰ信号としてテレビジョン装置２００に送信する。そして、処理が終了する。
【００７９】
次に、図１４を参照して、第１実施形態によるテレビジョン装置２００が表示パネル２１０に映像を出力する際に実行する一連の処理について説明する。この図１４の処理フローは、受信機２００の放送受信部２１６が送信機１００から標準データ（第１映像）を受信し、受信機２００のＩＰ受信部２１８が送信機１００から変換データおよび差分データを受信した場合に開始する。
【００８０】
この図１４の処理フローでは、テレビジョン装置２００の標準解像度デコーダ２１７は、ステップＳ３１において、放送受信部２１６により受信された標準データとしての第１映像（第２解像度、インターレース方式）をデコードする。そして、ステップＳ３２に処理が進む。
【００８１】
ステップＳ３２において、テレビジョン装置２００のプログレッシブ変換部２１９は、ＩＰ受信部２１８により受信された変換データを用いて標準解像度デコーダ２１７によりデコードされた第１映像（第２解像度、インターレース方式）にプログレッシブ変換を施して、第２映像（第２解像度、プログレッシブ方式）を生成する。このプログレッシブ変換は、図１３のステップＳ２２において送信機１００のプログレッシブ変換部１０７が施すプログレッシブ変換と同じである。そして、ステップＳ３３に処理が進む。
【００８２】
ステップＳ３３において、テレビジョン装置２００のアップコンバータ２２０は、プログレッシブ変換部２１９により生成された第２映像（第２解像度、プログレッシブ方式）にアップコンバートを施して第３映像（第１解像度、プログレッシブ方式）を生成する。そして、ステップＳ３４に処理が進む。
【００８３】
ステップＳ３４において、テレビジョン装置２００の拡張解像度デコーダ２２１は、ＩＰ受信部２１８により受信された差分データを用いて、アップコンバータ２２０により生成された第３映像に映像処理を施して、第４映像を生成する。ここで、第４映像は、第３映像よりも高画質な映像であり、送信機１００側の元データ（第１ソース映像）と同等の画質の映像である。そして、ステップＳ３５に処理が進む。
【００８４】
ステップＳ３５において、拡張解像度デコーダ２２１は、生成した第４映像を表示パネル２１０に出力する。これにより、送信機１００側の元データと同等に高解像度な映像がテレビジョン装置２００側で再現される。そして、処理が終了する。
【００８５】
以上説明したように、第１実施形態では、標準データおよび差分データに加えて、変換データが送信機１００からテレビジョン装置２００に送信される。これにより、テレビジョン装置２００は、送信機１００から受信される変換データに基づいて、各フィールドに対して送信機１００と同様の方法でプログレッシブ変換を実行することができるので、送信機１００側が期待するレベルでの高解像度化を図ることができる。
【００８６】
（第２実施形態）
次に、図１５および図１６を参照して、第２実施形態による送信機１００ａおよびテレビジョン装置２００ａについて説明する。
【００８７】
まず、図１５を参照して、第２実施形態による送信機１００ａの、第１実施形態とは異なる構成について説明する。
【００８８】
図１５に示すように、第２実施形態による送信機１００ａは、プログレッシブ変換部１０７ａが施すプログレッシブ変換の方法を設定するように構成された設定部１１１ａを備える。この設定部１１１ａは、動き検出部１０５ａに実行させる動き検出処理のモードを指定することにより、プログレッシブ変換部１０７ａが施すプログレッシブ変換の方法を設定するように構成されている。
【００８９】
設定部１１１ａは、動き検出部１０５ａを介してプログレッシブ変換部１０７ａに設定したプログレッシブ変換の方法を示す設定データをＩＰ送信部１１０ａに出力するように構成されている。ＩＰ送信部１１０ａは、設定部１１１ａから供給される設定データを、第１実施形態と同様の変換データおよび差分データとともにＩＰ信号としてテレビジョン装置２００ａに送信するように構成されている。
【００９０】
次に、図１６を参照して、第２実施形態によるテレビジョン装置２００ａの、第１実施形態とは異なる構成について説明する。
【００９１】
図１６に示すように、テレビジョン装置２００ａのＩＰ受信部２１８ａは、第１実施形態と同様の変換データに加えて、送信機１００ａから受信した設定データをプログレッシブ変換部２１９ａに出力するように構成されている。プログレッシブ変換部２１９ａは、ＩＰ受信部２１８ａから供給される変換データを用いて、ＩＰ受信部２１８ａから供給される設定データで指定された方法でプログレッシブ変換を行うように構成されている。
【００９２】
上記のように、第２実施形態では、プログレッシブ変換の方法を設定する設定データが送信機１００ａからテレビジョン装置２００ａに送信される。これにより、第２実施形態では、送信機１００ａのプログレッシブ変換部１０７ａおよびテレビジョン装置２００ａのプログレッシブ変換部２１９ａが複数の方法でプログレッシブ変換を行うことが可能に構成されている場合でも、プログレッシブ変換部１０７ａが施すプログレッシブ変換の方法とプログレッシブ変換部２１９ａが施すプログレッシブ変換の方法とを同一にすることができる。
【００９３】
（第３実施形態）
次に、図１７を参照して、第３実施形態によるテレビジョン装置２００ｂについて説明する。
【００９４】
図１７に示すように、第３実施形態によるテレビジョン装置２００ｂは、第１実施形態と同様のプログレッシブ変換部２１９とは別個に設けられたプログレッシブ変換部２１９ｂを備えている。
【００９５】
プログレッシブ変換部２１９ｂは、ＩＰ受信部２１８により受信された変換データを用いずに、プログレッシブ変換部２１９とは異なる独自の方法でプログレッシブ変換を施すように構成されている。つまり、プログレッシブ変換部２１９ｂは、標準解像度デコーダ２１７から供給される第１映像（第２解像度、インターレース方式）に独自のプログレッシブ変換を施すことにより、プログレッシブ変換部２１９が生成する第２映像（第２解像度、プログレッシブ方式）とは異なる第５映像（第２解像度、プログレッシブ方式）を生成するように構成されている。
【００９６】
また、第３実施形態によるテレビジョン装置２００ｂは、２つの切替部２２２および２２３を備えている。切替部２２２は、プログレッシブ変換部２１９および２１９ｂとアップコンバータ２２０との間に設けられており、プログレッシブ変換部２１９からの出力をアップコンバータ２２０に入力するか、またはプログレッシブ変換部２１９ｂからの出力をアップコンバータ２２０に入力するかを切り替えるように構成されている。
【００９７】
アップコンバータ２２０は、プログレッシブ変換部２１９ｂから第５映像（第２解像度、プログレッシブ方式）が入力された場合に、その第５映像にアップコンバートを施して第６映像（第１解像度、プログレッシブ方式）を生成するように構成されている。
【００９８】
ここで、切替部２２３は、プログレッシブ変換部２１９、アップコンバータ２２０、および拡張解像度デコーダ２２１を介して生成された第１実施形態と同様の第４映像を表示パネル２１０（図２参照）に出力するか、または、プログレッシブ変換部２１９ｂおよびアップコンバータ２２０を介して生成された第６映像を表示パネル２１０（図２参照）に出力するかを切り替えるように構成されている。この切替部２２３は、切替部２２２と連動して切り替わるように構成されている。
【００９９】
なお、切替部２２２および２２３は、リモートコントローラ２５０（図２参照）を用いたユーザの操作に基づいて切り替わるように構成されていてもよいし、所定の基準に基づいて自動で切り替わるように構成されていてもよい。たとえば、ＥＰＧ（電子番組表）などの番組情報に、上記の差分データを用いた高画質化処理に対応した番組か否かを示す情報が含まれている場合、処理対象の映像を含む番組が高画質化処理に対応した番組であるか否かを番組情報に基づいて判定し、判定結果に基づいて切替部２２２および２２３を自動で切り替えるような構成が用いられてもよい。この構成では、処理対象の映像を含む番組が高画質化処理に対応している場合には、プログレッシブ変換部２１９、アップコンバータ２２０、および拡張解像度デコーダ２２１を介して生成された第１実施形態と同様の第４映像が表示パネル２１０（図２参照）に出力され、処理対象の映像を含む番組が高画質化処理に対応していない場合には、プログレッシブ変換部２１９ｂおよびアップコンバータ２２０を介して生成された第６映像が表示パネル２１０（図２参照）に出力されるように、切替部２２２および２２３が自動で切り替わる。
【０１００】
上記のように、第３実施形態では、プログレッシブ変換部２１９とは異なる独自の方法でプログレッシブ変換を施すプログレッシブ変換部２１９ｂが設けられている。これにより、拡張解像度デコーダ２２１を用いた高画質化処理を行う必要がない場合には、プログレッシブ変換部２１９ｂを用いて独自の方法でプログレッシブ変換を施した映像を出力することができる。
【０１０１】
（変形例）
上記の実施形態では、「受信機」の一例としてテレビジョン装置を用いる例について説明した。しかしながら、実施形態の技術は、テレビジョン装置以外の受信機にも適用可能である。たとえば、実施形態の技術は、図１８に示すセットトップボックス４００にも適用可能である。
【０１０２】
図１８に示すように、変形例によるセットトップボックス４００は、放送受信部４０１と、標準解像度デコーダ４０２と、ＩＰ受信部４０３と、プログレッシブ変換部４０４と、アップコンバータ４０５と、拡張解像度デコーダ４０６とを備える。これらの構成は、それぞれ、図１０に示したテレビジョン装置２００の放送受信部２１６と、標準解像度デコーダ２１７と、ＩＰ受信部２１８と、プログレッシブ変換部２１９と、アップコンバータ２２０と、拡張解像度デコーダ２２１と同様の機能を有する。
【０１０３】
ここで、変形例によるセットトップボックス４００は、ＨＤＭＩ（登録商標）インターフェース（Ｉ／Ｆ）４０７を備えている。これにより、変形例では、拡張解像度デコーダ４０６により生成される高解像度の映像が、ＨＤＭＩ（登録商標）インターフェース４０７を介してテレビジョン装置５００に出力される。
【０１０４】
また、上記の実施形態では、標準データを放送信号として送受信し、変換データと差分データとを多重化したものをＩＰ信号として送受信する例について説明した。しかしながら、他の実施形態として、標準データと変換データとを多重化したものを放送信号として送受信し、差分データのみをＩＰ信号として送受信することも考えられる。
【０１０５】
以上、本発明の実施形態を説明したが、上記実施形態はあくまで一例であって、発明の範囲を限定することは意図していない。上記実施形態は、様々な形態で実施されることが可能であり、発明の要旨を逸脱しない範囲で、種々の省略、置き換え、変更を行うことができる。上記実施形態は、発明の範囲や要旨に含まれるとともに、特許請求の範囲に記載された発明とその均等の範囲に含まれる。
【符号の説明】
【０１０６】
１００、１００ａ  送信機
１０１  ダウンコンバータ
１０２  インターレース変換部
１０４  放送送信部（送信部、第１送信部）
１０５、１０５ａ  動き検出部（第１生成部）
１０７、１０７ａ  プログレッシブ変換部（第１プログレッシブ変換部）
１０８  アップコンバータ（第１アップコンバータ）
１１０、１１０ａ  ＩＰ送信部（送信部、第２送信部）
１１１ａ  設定部
２００、２００ａ、２００ｂ  テレビジョン装置（受信機）
２１６  放送受信部（受信部、第１受信部）
２１８、２１８ａ  ＩＰ受信部（受信部、第２受信部）
２１９、２１９ａ  プログレッシブ変換部（第２プログレッシブ変換部）
２１９ｂ  プログレッシブ変換部（第３プログレッシブ変換部）
２２０  アップコンバータ（第２アップコンバータ）
２２１  拡張解像度デコーダ（映像処理部）
２２２  切替部（第１切替部）
２２３  切替部（第２切替部）
４００  セットトップボックス（受信機）
４０１  放送受信部（受信部、第１受信部）
４０３  ＩＰ受信部（受信部、第２受信部）
４０４  プログレッシブ変換部（第２プログレッシブ変換部）
４０５  アップコンバータ（第２アップコンバータ）
４０６  拡張解像度デコーダ（映像処理部）
１０００  映像伝送システム
【図１】
2016100635.tif 000003
【図２】
2016100635.tif 000004
【図３】
2016100635.tif 000005
【図４】
2016100635.tif 000006
【図５】
2016100635.tif 000007
【図６】
2016100635.tif 000008
【図７】
2016100635.tif 000009
【図８】
2016100635.tif 000010
【図９】
2016100635.tif 000011
【図１０】
2016100635.tif 000012
【図１１】
2016100635.tif 000013
【図１２】
2016100635.tif 000014
【図１３】
2016100635.tif 000015
【図１４】
2016100635.tif 000016
【図１５】
2016100635.tif 000017
【図１６】
2016100635.tif 000018
【図１７】
2016100635.tif 000019
【図１８】
2016100635.tif 000020